(57)【要約】【課題】  湿度の高い閉鎖空間の除湿をするに当り、同時に静電霧化装置で生成した帯電微粒子水により閉鎖空間内の殺菌、脱臭が行う。静電霧化装置に帯電微粒子水を生成するに当り、湿度の高い閉鎖空間内の湿った空気を有効利用して効率よく且つ安定して帯電微粒子水を生成する。【解決手段】  除湿手段４で除湿した後の乾燥空気に帯電微粒子水を放出するための静電霧化装置８を除湿装置６に設ける。静電霧化装置８が、放電電極９と、空気中の水分を結露させて結露水を生成することで放電電極９に水を供給するための冷却手段１０と、放電電極９に供給した水を静電霧化するために放電電極９に高電圧を印加するための高電圧印加部１１とを備える。閉鎖空間７の空気を吸込んで上記放電電極９の周囲に供給するための上記吸込部１とは別の副吸込部１２を設ける。【選択図】図１
2008238018.tif 000002
【特許請求の範囲】
【請求項１】
一端部が吸込部となり且つ他端部が吐出部となった空気流路の途中に除湿手段と送風手段とを備えた除湿装置の上記吸込部と吐出部を閉鎖空間に連通させ、閉鎖空間内の空気を吸込み部から除湿装置の空気流路に吸込んで除湿手段で除湿することで乾燥空気とすると共に、該乾燥空気を送風手段により吐出部から閉鎖空間に返送するようにした閉鎖空間の除湿システムにおいて、
除湿手段で除湿した後の乾燥空気に帯電微粒子水を放出するための静電霧化装置を除湿装置に設け、該静電霧化装置が、放電電極と、空気中の水分を結露水として生成することで放電電極に水を供給するための冷却手段と、放電電極に供給した水を静電霧化するために放電電極に高電圧を印加するための高電圧印加部とを備え、
閉鎖空間の空気を吸込んで上記放電電極の周囲に供給するための上記吸込部とは別の副吸込部を設けて成ることを特徴とする閉鎖空間の除湿システム。
【請求項２】
除湿手段で除湿することで生成した水を溜める水溜め部と、水溜め部に溜めた水を閉鎖空間と除湿装置の外に蒸発させるための蒸発手段とを設けて成ることを特徴とする請求項１記載の閉鎖空間の除湿システム。
【請求項３】
静電霧化装置に設けた冷却手段がペルチェユニットの冷却部により構成され、該ペルチェユニットの放熱部が前記水溜め部に溜めた水を蒸発させるための蒸発手段となっていることを特徴とする請求項２記載の閉鎖空間の除湿システム。 
【発明の詳細な説明】
【技術分野】
【０００１】
本発明は、湿度の高い閉鎖空間の除湿を行うための除湿システムに関するものである。
【背景技術】
【０００２】
従来から、外気と遮断した閉鎖空間内に湿った収納物を入れた状態で、収納物の除湿をして収納物を乾燥させると共に、オゾンで殺菌するようにしたものが特許文献１により知られている。
【０００３】
この特許文献１に示された従来例は、内部が長靴を入れるための閉鎖空間にヒータ付き送風機とオゾン発生器とを設け、オゾン発生器で発生させたオゾンをヒータ付き送風機で送風する温風と共に長靴に吹き付けて長靴を乾燥させると共に殺菌するようになっている。
【０００４】
上記従来例にあっては、殺菌のためにオゾンを発生させているが、オゾンは人体に対して悪影響を与えるため、健康上好ましくなく、また、オゾンを除去する手段が必要となる。しかも、オゾンは単に収納物や閉鎖空間の壁面に付いて殺菌をするだけのものであり、収納物や壁面の表面から内部に浸透して内部まで殺菌、脱臭することはできず、殺菌、脱臭効果が十分であるとは言い難たかった。特に、カビは壁面などの表面から内部にかけて繁殖するが、内部に浸透して防カビ作用を発揮することはできなかった。
【０００５】
また、従来から放電電極と、放電電極に水を供給する水供給手段と、放電電極に供給された結露水を静電霧化するために放電電極に高電圧を印加するための高電圧印加部とを備え、放電電極に供給された水を静電無化して帯電微粒子水を生成するようにした静電霧化装置が特許文献２により知られている。この静電霧化装置により生成される帯電微粒子水は、オゾンに比べて人体に対して無害であり、しかも、殺菌、脱臭効果も優れている。しかしながら、放電電極に水を供給する水供給手段として、例えば、水タンクに溜めた水を毛細管現象により放電電極の先端に供給するものにおいては、水タンクに水を補充する手間が必要であり、また、使用しない時、水タンク内の水に菌が発生するおそれがある。
【０００６】
そこで、水供給手段として、放電電極を冷却して空気中の水分を結露させて放電電極に結露水を生成させるようにしたものも提案されているが、このものにおいては、空気の湿度が低い場合は結露水の生成が安定せず、安定して帯電微粒子水を生成できないという問題がある。
【特許文献１】特開２００２−１７２１５２号公報
【特許文献２】特許第３２６０１５０号公報
【発明の開示】
【発明が解決しようとする課題】
【０００７】
本発明は上記の従来の問題点に鑑みて発明したものであって、湿度の高い閉鎖空間の除湿をするに当り、同時に静電霧化装置で生成した帯電微粒子水により閉鎖空間内の殺菌、脱臭が行え、しかも、静電霧化装置に帯電微粒子水を生成するに当り、湿度の高い閉鎖空間内の湿った空気を有効利用して効率よく且つ安定して帯電微粒子水を生成できる閉鎖空間の除湿システムを提供することを課題とするものである。
【課題を解決するための手段】
【０００８】
上記課題を解決するために本発明に係る閉鎖空間の除湿システムは、一端部が吸込部１となり且つ他端部が吐出部２となった空気流路３の途中に除湿手段４と送風手段５とを備えた除湿装置６の上記吸込部１と吐出部２を閉鎖空間７に連通させ、閉鎖空間７内の空気を吸込部１から除湿装置６の空気流路３に吸込んで除湿手段４で除湿することで乾燥空気とすると共に、該乾燥空気を送風手段５により吐出部２から閉鎖空間７に返送するようにした閉鎖空間７の除湿システムにおいて、除湿手段４で除湿した後の乾燥空気に帯電微粒子水を放出するための静電霧化装置８を除湿装置６に設け、該静電霧化装置８が、放電電極９と、空気中の水分を結露水として生成することで放電電極９に水を供給するための冷却手段１０と、放電電極９に生成した結露水を静電霧化するために放電電極９に高電圧を印加するための高電圧印加部１１とを備え、閉鎖空間７の空気を吸込んで上記放電電極９の周囲に供給するための上記吸込部１とは別の副吸込部１２を設けて成ることを特徴とするものである。
【０００９】
閉鎖空間７内の湿った空気を吸込部１から吸い込んで除湿手段４で除湿して乾燥空気にして吐出部２から閉鎖空間７に返送することで、閉鎖空間７の除湿を行うのであるが、この場合、静電霧化装置８を運転することで、副吸込部１２から閉鎖空間７内の湿った空気を放電電極９の周囲に供給して冷却手段１０によって空気中の水分を結露させて放電電極９に水を供給し、このように放電電極９に水が供給された状態で高電圧を印加して静電霧化を行って帯電微粒子水を生成し、生成した帯電微粒子水を除湿手段４で除湿した後の乾燥空気に放出し、帯電微粒子水を含んだ乾燥空気を吐出部２から閉鎖空間７に返送することになる。したがって、閉鎖空間７の除湿を行うと共に同時に閉鎖空間７内に帯電微粒子水を放出して閉鎖空間７内の殺菌、脱臭を行うことができる。特に、帯電微粒子水はナノメータサイズと小さく、閉鎖空間７の壁面などから内部に浸透して殺菌、脱臭ができるので、防カビ効果が優れている。ここで、仮に、除湿手段４で除湿する直前に帯電微粒子水を供給すると、除湿手段４により帯電微粒子水が除湿されて無くなってしまうので、閉鎖空間７に帯電微粒子水を乾燥空気に混入させて放出することができないが、本発明においては、除湿手段４で除湿した後の乾燥空気に帯電微粒子水を放出するので、確実に帯電微粒子水を乾燥空気に混入させて閉鎖空間７に放出することができる。しかも、副吸込部１２から湿度の高い閉鎖空間７内の湿った空気を吸い込んで冷却手段１０により結露水にして放電電極９に供給して帯電微粒子水を生成させるので、湿度の高い閉鎖空間７内の湿った空気を有効利用することができる。
【００１０】
また、除湿手段４で除湿することで生成した水を溜める水溜め部１３と、水溜め部１３に溜めた水を閉鎖空間７と除湿装置６の外に蒸発させるための蒸発手段１４とを設けることが好ましい。
【００１１】
このような構成とすることで、除湿した水を蒸発手段１４により閉鎖空間７と除湿装置６の外に蒸発させるので、除湿した水の処理が簡単に行える。
【００１２】
また、静電霧化装置８に設けた冷却手段１０がペルチェユニット１５の冷却部１６により構成され、該ペルチェユニット１５の放熱部１７が前記水溜め部１３に溜めた水を蒸発させるための蒸発手段１４となっていることが好ましい。
【００１３】
このような構成とすることで、ペルチェユニット１５の冷却部１６が静電霧化装置８における冷却手段１０となると共にペルチェユニット１５の放熱部１７が除湿した水を蒸発させるための蒸発手段１４となり、除湿と、静電霧化と、除湿した水の蒸発とを行うためのシステムがきわめて効率的なシステムとなる。
【発明の効果】
【００１４】
本発明は、上記のように、除湿手段で除湿した後の乾燥空気に帯電微粒子水を放出するための静電霧化装置を除湿装置に設け、静電霧化装置に空気中の水分を結露水として生成することで放電電極に水を供給するための冷却手段を設け、閉鎖空間の空気を吸込んで上記放電電極の周囲に供給するための上記吸込部とは別の副吸込部を設けているので、湿度の高い閉鎖空間の除湿をするに当り、同時に静電霧化装置で生成した帯電微粒子水により閉鎖空間内の殺菌、脱臭が行え、しかも、静電霧化装置に帯電微粒子水を生成するに当り、湿度の高い閉鎖空間内の湿った空気を有効利用して効率よく且つ安定して帯電微粒子水を生成でき、更に、生成した帯電微粒子水が除湿手段により除湿されて無くなるということがなく、確実に密閉空間内に放出され、閉鎖空間内の殺菌、脱臭が行うことができる。
【発明を実施するための最良の形態】
【００１５】
以下、本発明を添付図面に示す実施形態に基いて説明する。
【００１６】
除湿装置６には空気流路３が設けてあり、該空気流路３は一端部が吸込部１となり且つ他端部が吐出部２となっている。除湿装置６の空気流路３の一端部の吸込部１及び他端部の吐出部２が下駄箱、収納キャビネット、台所、洗面所、床下等の閉鎖空間７に連通接続してある。吐出部２にはルーバ４０が設けてある。
【００１７】
除湿装置６には空気流路３の途中に除湿手段４と送風手段５とが設けてある。
【００１８】
図１の実施形態では空気流路３の途中に除湿室１８を設けると共に該除湿室１８に蒸発器１９と凝縮器２０を備えることで除湿手段４を構成してあるが、吸着剤により除湿手段４を構成してもよいが、以下の実施形態では。蒸発器１９と凝縮器２０を備えた例で説明する。
【００１９】
除湿室１８の底部には排水部２１が設けてあり、底部は排水部２１側程低くなるような傾斜面となっている。
【００２０】
除湿装置６内の下部には水溜め部１３が設けてあり、上記除湿室１８の底部に設けた排水部２１から流下した水を溜めるようになっている。
【００２１】
空気流路３の除湿室１８よりも下流側に送風手段５であるファンを収納する送風手段収納室２２が設けてあり、除湿室１８と送風手段収納室２２とは除湿室１８の下流側の下端部に設けた連通口２３で連通していて、除湿室１８で除湿された乾燥空気が連通口２３を経て送風手段収納室２２に流入するようになっている。
【００２２】
上記除湿装置６は送風手段５を運転することで、閉鎖空間７内の空気が吸込部１から吸い込まれ除湿手段４により除湿され、乾燥空気となって吐出部２から閉鎖空間７内に返送されることで、閉鎖空間７の除湿をする。例えば、閉鎖空間７が下駄箱の場合を例に取ると、濡れたり、湿った履物が閉鎖空間７内に収納された場合には、上記のようにして除湿装置６で除湿することで閉鎖空間７内の除湿をすると共に収納された濡れたり、湿った履物を乾燥する。
【００２３】
添付図面に示す実施形態では吸込部１から吸込まれた湿った空気は、蒸発器１９で熱交換されて加温され、凝縮器２０で冷やされて空気中の水分が結露水となって除去されることで乾燥空気となる。除湿により発生した凝縮水は排水部２１から水溜め部１３に流れて溜められる。
【００２４】
上記のような構成の除湿装置６には更に除湿手段４で除湿した後の乾燥空気に帯電微粒子水を放出するための静電霧化装置８を除湿装置６に設けてある。
【００２５】
図１の実施形態においては、除湿装置６に副流路２４が設けてあり、この副流路２４は一端部が閉鎖空間７に連通した副吸込部１２となり且つ他端部が空気流路３の上記除湿手段４を収納する除湿室１８よりも下流側の乾燥空気が流れる部分に連通する連通部２６となっている。図１の実施形態では送風手段収納室２２の下流側に連通部２６が連通しているが、送風手段収納室２２の送風手段５よりも上流側（連通口２３よりも下流側）において連通していてもよい。
【００２６】
副流路２４内には帯電微粒子水を生成するための静電霧化装置８が内装してある。静電霧化装置８は、放電電極９と、空気中の水分を結露水として生成することで放電電極９に水を供給するための冷却手段１０と、放電電極９に生成した結露水を静電霧化するために放電電極９に高電圧を印加するための高電圧印加部１１とを備えている。
【００２７】
図３には本発明に用いる静電霧化装置８の概略構成図が示してある。図３に示す実施形態においてはペルチェユニット１５のような冷却手段１０により空気中の水分を冷却して結露水を生成することで放電電極９に水を供給するようになっている。
【００２８】
ペルチェユニット１５は、熱伝導性の高いアルミナや窒化アルミニウムからなる絶縁板の片面側に回路を形成してある一対のペルチェ回路板２７を、互いの回路が向き合うように対向させ、多数列設してあるＢｉＴｅ系の熱電素子２８を両ペルチェ回路板２７間で挟持すると共に隣接する熱電素子２８同士を両側の回路で電気的に接続させ、ペルチェ入力リード線２９を介してなされる熱電素子２８への通電により一方のペルチェ回路板２７側から他方のペルチェ回路板２７側に向けて熱が移動するように構成したものである。更に、上記一方の側のペルチェ回路板２７の外側には冷却部１６を接続してあり、また、上記他方の側のペルチェ回路板２７の外側には放熱部１７が接続してあり、実施形態では放熱部１７として放熱フィンの例が示してある。ペルチェユニット１５の冷却部１６には放電電極９の後端部が接続してある。
【００２９】
放電電極９は絶縁材料からなる筒体３０で囲まれており、筒体３０の周壁には筒体３０内外を連通する窓３０ａが設けてある。また、筒体３０の先端開口部にリング状をした対向電極２５が配設され、放電電極９の軸心の延長線上にリング状の対向電極２５のリングの中心が位置するように放電電極９と対向電極２５とが対向している。
【００３０】
添付図面に示す実施形態では上記のような構成の静電霧化装置８を副流路２４の下流側の端部である連通部２６内に内装してあり、リング状の対向電極２５が空気流路３の壁面に開口した連通部２６の下流側端部に開口している。
【００３１】
上記静電霧化装置８は、ペルチェユニット１５に通電することで、冷却部１６が冷却され、冷却部１６が冷却されることで放電電極９が冷却され、空気中の水分を結露して放電電極９に水（結露水）を供給するようになっている。ここで、放電電極９の周囲、つまり、筒体３０内には副流路２４の副吸込部１２から閉鎖空間７内の湿った空気が流入するので、放電電極９の周囲の空気を冷却して空気中の水分を結露させることで安定して結露水を生成することができることになる。
【００３２】
また、閉鎖空間７内の湿った空気が副吸込部１２から流入すると、まず、ペルチェユニット１５の放熱部１７である放熱フィン部分で熱交換して温度が上がるため、露点が上がる。このように、温度が上がって露点が上がった湿った空気が筒体３０内に入るので、冷却部１６の冷却による結露水を生成するための露点が上がることになり、必要な量の結露水を生成するに当って省エネルギーが図れることになる。
【００３３】
このように放電電極９に水が供給された状態で上記放電電極９と対向電極２５との間に高電圧を印加すると、放電電極９と対向電極２５との間にかけられた高電圧により放電電極９の先端部に供給された水と対向電極２５との間にクーロン力が働いて、水の液面が局所的に錐状に盛り上がり（テーラーコーン）が形成される。このようにテーラーコーンが形成されると、該テーラーコーンの先端に電荷が集中してこの部分における電界強度が大きくなって、これによりこの部分に生じるクーロン力が大きくなり、更にテーラーコーンを成長させる。このようにテーラーコーンが成長し該テーラーコーンの先端に電荷が集中して電荷の密度が高密度となると、テーラーコーンの先端部分の水が大きなエネルギー（高密度となった電荷の反発力）を受け、表面張力を超えて分裂・飛散（レイリー分裂）を繰り返してマイナスに帯電したナノメータサイズの帯電微粒子水を大量に生成させ、生成された帯電微粒子水は筒体３０の先端開口部から空気流路３の送風手段５であるファンよりも下流側を流れる乾燥空気内に放出され、乾燥空気流に乗って吐出部２から閉鎖空間７内に放出される。
【００３４】
閉鎖空間７内に放出された帯電微粒子水はナノメータサイズと非常に小さく、また、活性種を有しているため、閉鎖空間７内を浮遊して閉鎖空間７内の隅々まで飛翔し、閉鎖空間７内の臭いの成分やアレルゲン物質、ウイルスや菌を効果的に分解、不活性化あるいは抑制あるいは除菌する。特に、帯電微粒子水はナノメータサイズの水粒子であるため、水の浸透により、閉鎖空間７の壁面や収納物の内部に浸透して壁面や収納物の内部に蓄積している臭い成分やアレルゲン物質等の分解、不活性化、あるいはウイルスや菌の抑制あるいは除菌ができる。
【００３５】
上記実施形態において、除湿手段４により除湿することで生成された水を水溜め部１３に溜めるようになっており、この水溜め部１３内に溜まった水は水溜め部１３を除湿装置６に対して着脱自在となっていて、溜まった水を捨てることができるようになっている例を示している。
【００３６】
図４には本発明の他の実施形態が示してあり、この実施形態では、蒸発手段１４を設けて水溜め部１３に溜まった水を蒸発させて閉鎖空間７と除湿装置６の外に排出させるようになっている。
【００３７】
図４の実施形態では、ヒータ１４ａとファン１４ｂにより蒸発させて外部に排出するための蒸発手段１４が形成してあり、ヒータ１４ａで水溜め部１３に溜まった水を蒸発させると共にファン１４ｂにより除湿装置６のケース３１に設けた排出口３２から外部（閉鎖空間７と除湿装置６外）に排出するようになっている。したがって、除湿した水の処理が簡単に行え、特に、蒸発した水分が再び閉鎖空間７と除湿装置６に戻ることが無く、除湿装置６による閉鎖空間７の乾燥運転の効率が向上することになる。
【００３８】
次に、図５、図６に基づいて本発明の更に他の実施形態により説明する。
【００３９】
本実施形態においては、静電霧化装置８に設けた冷却手段１０がペルチェユニット１５の冷却部１６により構成してあり、このペルチェユニット１５の放熱部１７が前記水溜め部１３に溜めた水を蒸発させるための蒸発手段１４となっている。
【００４０】
すなわち、本実施形態ではペルチェユニット１５の冷却部１６、放電電極９は副流路２４内に位置しているが、放熱部１７は副流路２４の外で、且つ、放熱部１７が水溜め部１３内に配置するか又は水溜め部１３の外部に配置してあって、放熱部１７により水溜め部１３内の水を加熱して蒸発させるようになっており、除湿装置６のケース３１に設けた排出口３２から外部（閉鎖空間７と除湿装置６外）に排出するようになっている。したがって、除湿した水の処理が簡単に行え、特に、蒸発した水分が再び閉鎖空間７と除湿装置６に戻ることが無く、除湿装置６による閉鎖空間７の乾燥運転の効率が向上することになる。しかも、本実施形態においては、静電霧化するために用いるペルチェユニット１５の放熱部１７を用いて水溜め部１３内に溜まった水を蒸発させるので、別途ヒータを必要とせず、構成が簡略化し、しかも、除湿と、静電霧化と、除湿した水の蒸発とを行うためのシステムがきわめて効率的なシステムとなる。
【００４１】
なお、添付図面に示す実施形態では放電電極と対向電極との間に高電圧を印加して帯電微粒子水を生成する静電霧化装置８の例を示したが、対向電極を設けない場合であってもよい。
【図面の簡単な説明】
【００４２】
【図１】本発明の一実地形態の全体断面図である。
【図２】同上の図１のＸ部分の拡大断面図である。
【図３】同上に用いる静電霧化装置の概略構成図である。
【図４】本発明の他の実施形態の全体断面図である。
【図５】本発明の更に他の実施形態の全体断面図である。
【図６】図５のＹ部分の拡大断面図である。
【符号の説明】
【００４３】
１  吸込部
２  吐出部
３  空気流路
４  除湿手段
５  送風手段
６  除湿装置
７  閉鎖空間
８  静電霧化装置
９  放電電極
１０  冷却手段
１１  高電圧印加部
１２  副吸込部
１３  水溜め部
１４  蒸発手段
１５  ペルチェユニット
１６  冷却部
１７  放熱部 
【図１】
2008238018.tif 000003
【図２】
2008238018.tif 000004
【図３】
2008238018.tif 000005
【図４】
2008238018.tif 000006
【図５】
2008238018.tif 000007
【図６】
2008238018.tif 000008